(57)【特許請求の範囲】
【請求項１】
ボビンの外周面にアンテナエレメントを配設し、前記ボビンの基端部に配設される前記アンテナエレメントの基端部に導電部材を当接し、前記ボビンの基端部と前記導電部材をともに導通金具の孔内に圧入し、前記導電部材を介して前記アンテナエレメントの基端部を前記導通金具に電気的接続するように構成したことを特徴とするアンテナ構造。
【請求項２】
請求項１記載のアンテナ構造において、前記ボビンの基端部の外周に軸方向に長い溝を設け、前記溝に前記アンテナエレメントの基端部を挿入するととともにその上に軸方向に長い前記導電部材を重ねて挿入するように構成したことを特徴とするアンテナ構造。
【請求項３】
請求項１記載のアンテナ構造において、前記導電部材が前記導通金具の孔内に圧入されると前記孔の径方向に弾性変形するように構成したことを特徴とするアンテナ構造。
【請求項４】
請求項１記載のアンテナ構造において、前記ボビンの基端部の外周を円柱状とし、この外周の円周方向で均等分割位置に軸方向に長い複数本の導電部材を配設し、そのうちの少なくとも１本を前記アンテナエレメントの基端部に当接させ、前記ボビンの基端部と複数本の前記導電部材をともに前記導通金具の円形の孔内に圧入して構成したことを特徴とするアンテナ構造。
【請求項５】
請求項４記載のアンテナ構造において、複数本の前記導電部材はその一端側で環状部材により連結して構成したことを特徴とするアンテナ構造。
【請求項６】
請求項１記載のアンテナ構造において、前記ボビンをキャップで覆いその開口端部を前記導通金具に螺合固定し、この固定した状態で前記キャップの先端内側と前記ボビンの先端部が嵌合するように構成したことを特徴とするアンテナ構造。
【請求項７】
請求項１記載のアンテナ構造において、前記ボビンの外周面に折り返しアンテナエレメントを配設して構成したことを特徴とするアンテナ構造。
【請求項８】
請求項１記載のアンテナ構造において、前記ボビンの外周面にヘリカルコイルアンテナエレメントを配設して構成したことを特徴とするアンテナ構造。
【請求項９】
請求項７記載のアンテナ構造において、導電箔で形成した折り返しアンテナエレメントに絶縁材からなる可撓性シートを貼着し、前記折り返しアンテナエレメントを前記ボビンの外周面に貼着するとともにその上に積層して前記可撓性シートを貼着して構成したことを特徴とするアンテナ構造。
【請求項１０】
請求項７記載のアンテナ構造において、絶縁材からなる可撓性シート上に導電箔で折り返しアンテナエレメントを形成し、前記可撓性シートを前記ボビンの外周面に貼着して構成したことを特徴とするアンテナ構造。
【発明の詳細な説明】
【０００１】
【発明の属する技術分野】
本発明は、携帯電話などの小型軽量な無線機に好適なアンテナ構造に関するものである。
【０００２】
【従来の技術】
従来の携帯電話などのアンテナ構造の一例として、バネ用リン青銅などの中実線材がヘリカルコイル状に巻回されてアンテナエレメントが形成され、その一端部が導通金具に弾力的に嵌挿固定されて構成されたものがある。かかる構造では、中実線材自体でそのヘリカルコイル形状を維持する必要があり、そのための適度な強度が必要である。そこで、中実線材の線径をあまり細くすることができず、軽量化に適さないものであった。また、振動などのよりコイルピッチが変化し易く、アンテナ特性が安定しないという不具合もあった。
【０００３】
そこで、上記中実線材による不具合を改善すべく、絶縁材からなるボビンの円柱状の外周面にメッキなどにより螺旋状の導電層を形成し、この導電層でアンテナエレメントを形成して軽量化を図るものが提案されている。このアンテナエレメントの基端部はボビンの基端部の外周に設けた導電層に接続され、ボビンの基端部が導通金具の孔内に圧入されて固定されることで、アンテナエレメントの基端部が導通金具に電気的接続される。
【０００４】
【発明が解決しようとする課題】
上述のメッキなどによりアンテナエレメントを形成したものは、軽量化に好適であるとともに振動などによりコイルピッチが変化せずアンテナ特性が安定している。しかるに、ボビンの基端部を導通金具の孔内に圧入する際に、外周面に設けた導電層が剥離するなどして、安定した電気的接続が得にくい。そこで、ボビンの基端部を導通金具の孔内に圧入した後に、アンテナエレメントの基端部と導通金具とに跨って半田付けを施して電気的接続が確実なものとされていた。しかし、この半田付けしたものにあっても、振動などにより半田付けに亀裂が生じて電気的接続が不安定になる虞がある。
【０００５】
本発明は、上述の従来技術の事情に鑑みてなされたもので、ボビンの基端部を導通金具の孔内に圧入することでボビンの外周面に設けたアンテナエレメントと導通金具を確実に電気的接続させることができるようにしたアンテナ構造を提供することを目的とする。
【０００６】
【課題を解決するための手段】
かかる目的を達成するために、本発明のアンテナ構造は、ボビンの外周面にアンテナエレメントを配設し、前記ボビンの基端部に配設される前記アンテナエレメントの基端部に導電部材を当接し、前記ボビンの基端部と前記導電部材をともに導通金具の孔内に圧入し、前記導電部材を介して前記アンテナエレメントの基端部を前記導通金具に電気的接続するように構成されている。
【０００７】
そして、前記ボビンの基端部の外周に軸方向に長い溝を設け、前記溝に前記アンテナエレメントの基端部を挿入するととともにその上に軸方向に長い前記導電部材を重ねて挿入するように構成しても良い。
【０００８】
また、前記導電部材が前記導通金具の孔内に圧入されると前記孔の径方向に弾性変形するように構成することもできる。
【０００９】
さらに、前記ボビンの基端部の外周を円柱状とし、この外周の円周方向で均等分割位置に軸方向に長い複数本の導電部材を配設し、そのうちの少なくとも１本を前記アンテナエレメントの基端部に当接させ、前記ボビンの基端部と複数本の前記導電部材をともに前記導通金具の円形の孔内に圧入して構成しても良い。
【００１０】
さらにそして、複数本の前記導電部材はその一端側で環状部材により連結して構成することもできる。
【００１１】
さらにまた、前記ボビンをキャップで覆いその開口端部を前記導通金具に螺合固定し、この固定した状態で前記キャップの先端内側と前記ボビンの先端部が嵌合するように構成しても良い。
【００１２】
【発明の実施の形態】
以下、本発明の第１実施例を図１ないし図５を参照して説明する。図１は、本発明のアンテナ構造の第１実施例でキャップと導通金具とボビンの一部を切り欠いた縦断面図である。図２は、図１の分解斜視図である。図３は、ボビンの形状を示し、（ａ）は縦断面図であり、（ｂ）は左側面図であり、（ｃ）は右側面図であり、（ｄ）は底面図である。図４は、ボビンの外周面に巻回貼着される折り返しアンテナエレメントの展開図であり、（ａ）は正面図であり、（ｂ）は側面図である。図５は、導電金具の形状を示し、（ａ）は正面図であり、（ｂ）は左側面図であり、（ｃ）は右側面図であり、（ｄ）は底面図であり、（ｅ）は（ｃ）のＡ−Ａ端面矢視拡大図である。
【００１３】
まず、アンテナエレメントは、図４に示すごとく、銅箔などの導電箔を打ち抜いて形成した折り返しアンテナエレメント１０であり、その一面に接着剤層１４により絶縁性を備えた可撓性シート１２が貼着されて折り返しアンテナエレメント１０の形状の保持が図られる。さらに、折り返しアンテナエレメント１０の他の面にも接着剤層１６が設けられる。そして、この折り返しアンテナエレメント１０が、図３に示すごとき絶縁材からなるボビン１８の円柱状の外周面１８ａに巻回貼着される。ここで、折り返しアンテナエレメント１０の基端部の引き出し線１０ａが、ボビン１８の基端部に軸方向に設けた溝１８ｂおよびこれに連続する溝１８ｃに挿入される。さらに、ボビン１８の基端側に、図５に示すごとき導電金具２０が配設される。この導電金具２０は、環状部材２０ａとその円周上の対向する位置に配設された２本の軸方向に長い導電部材２０ｂ、２０ｃとで形成される。これらの導電部材２０ｂ、２０ｃは、ボビン１８の基端部に軸方向に設けられた溝１８ｃ、１８ｄにそれぞれに挿入され、一方の長い導電部材２０ｃが溝１８ｂおよびこれと連続する溝１８ｃに挿入されて折り返しアンテナエレメント１０の引き出し線１０ａの上に重ねて配設される。また、導電部材２０ｃは、図５（ｅ）に示すごとく、軸方向の折れ線で両端側が外側となるように少し折り曲げられている。この折り曲げにより、導電部材２０ｃは、ボビン１８の基端部に組み付けられた状態で、その両端側が径方向に弾性変形可能であるとともに、ボビン１８の基端部の外径より外側に突出した状態となる寸法に設定される。
【００１４】
そして、かかる組み付け状態にあるボビン１８の基端部が、導通金具２２の円形の孔２２ａ内に圧入される。この圧入により、導電部材２０ｃは弾性変形して折り返しアンテナエレメント１０の引き出し線１０ａと導通金具２２の孔２２ａの内壁に弾接される。もって、導電部材２０ｃを介して折り返しアンテナエレメント１０の引き出し線１０ａと導通金具２２が確実に電気的接続される。
【００１５】
さらに、この導通金具２２に組み付けられたボビン１８を覆うように絶縁材からなるキャップ２４が被せられ、その開口端部が導通金具２２に螺合により固定される。ここで、キャップ２４の先端内側には突部２４ａが設けられており、この突部２４ａがボビン１８の先端面に設けた凹部１８ｅに挿入嵌合される。そこで、ボビン１８は、基端部が導通金具２２に圧入して固定され、先端部がキャップ２４に嵌合して固定される。
【００１６】
かかる構成において、ボビン１８の円柱状の外周面１８ａに配設した折り返しアンテナエレメント１０の引き出し線１０ａ上に導電金具２０の導電部材２０ｃを当接させて、ボビン１８の基端部と導電部材２０ｃをともに導通金具２２の孔２２ａ内に圧入することで、導電部材２０ｃが引き出し線１０ａと孔２２ａの内壁にともに弾接し、導電部材２０ｃを介して折り返しアンテナエレメント１０と導通金具２２が確実に電気的接続される。そして、導電部材２０ｃが弾接して電気的接続が図られているので、振動などにより接触不良などを生ずる虞がない。従来の半田付けしたものにあっては、振動などにより半田付けに亀裂が生ずると、電気的接続が不安定になり易い。また、折り返しアンテナエレメント１０の引き出し線１０ａが、導通金具２２の孔２２ａの内壁に直接摺接して圧入されることがないので、圧入に際して引き出し線１０ａの導電箔が破損されるようなこともない。さらに、キャップ２４を被せることで、ボビン１８の先端部も固定され、ボビン１８を確実に固定し得る。
【００１７】
次に、本発明の第２実施例を図６を参照して説明する。図６は、本発明のアンテナ構造の第２実施例でキャップと導通金具を切り欠いた縦断面図である。図６において、図１ないし図５に示す部材と同じまたは均等な部材には、同じ符号を付けて重複する説明を省略する。
【００１８】
図６において、ボビン３０の円柱状の外周面３０ａに、帯状の銅箔などからなる導電箔が螺旋状に巻回貼着されてヘリカルコイルアンテナエレメント３２が形成されている。また、ボビン３０の基端部に導電金具２０が配設され、ヘリカルコイルアンテナエレメント３２の基端部の導電箔上にこれと交叉して軸方向に長い導電部材２０ｃが当接するように設けられる。そして、この組み付け状態で、ボビン３０の基端部と導電部材２０ｃがともに導通金具２２の孔２２ａ内に圧入され、導電部材２０ｃが弾性変形して、ヘリカルコイルアンテナエレメント３２の基端部と導通金具２２に弾接してこれらが確実に電気的接続される。なお、ヘリカルコイルアンテナエレメント３２の基端部で導電部材２０ｃは、図６に示す実施例で、螺旋状の導電箔の複数のターンに当接してより確実な電気的接続が図られているが、最も基端側の１ターンにのみ当接するようにしても良い。また、ボビン３０の外周の対向する両側で、ヘリカルコイルアンテナエレメント３２に導電部材２０ｂ、２０ｃがそれぞれに当接していても良い。
【００１９】
さらに、本発明のアンテナ構造に用いることのできる折り返しアンテナエレメントの他の例を図７に示す。図７は、折り返しアンテナエレメントの他の例を示し、（ａ）は正面図であり、（ｂ）は側面図である。図７に示す折り返しアンテナエレメント４０は、絶縁性を備えた可撓性シート４２上に蒸着やエッチングやメッキなどにより適宜に導電箔を設けて形成したものである。そして、可撓性シート４２の裏面に接着剤層４４を設けるとともにその一端側の余白部４２ａを長く形成し、ボビン１８の外周面１８ａにこの可撓性シート４２を巻回貼着するとともに可撓性シート４２の一端側の余白部４２ａを先に貼着された折り返しアンテナエレメント４０上にさらに巻回貼着してこれが覆われるように形成される。
【００２０】
さらにまた、本発明のアンテナ構造に用いることのできる導電金具の他の例を図８に示す。図８は、導電金具の他の例を示し、（ａ）は正面図であり、（ｂ）は左側面図であり、（ｃ）右側面図であり（ｄ）は底面図である。図８に示す導電金具５０は、環状部材５０ａと２本の軸方向に長い導電部材５０ｂ、５０ｃとからなる。そして、導電部材５０ｂ、５０ｃは、軸方向と直交する折れ線により、軸方向に対して対向する径方向の寸法が変化するようにジグザグ状に折り曲げられている。かかる導電部材５０ｂ、５０ｃは、導通金具２２の孔２２ａ内に圧入されると、この折り曲げが平面状に展開されるように弾性変形し、アンテナエレメントの基端部と導通金具２２に弾接して、確実な電気的接続が図られる。
【００２１】
なお、上記実施例では、導電金具２０、５０は、環状部材２０ａ、５０ａの円周上で対向する位置に２本の導電部材２０ｂ、２０ｃまたは導電部材５０ｂ、５０ｃを設け、導通金具２２の孔２２ａ内に圧入されたボビン１８が導通金具２２と同軸上となり得るようになされている。そこで、導電部材２０ｂ、２０ｃまたは導電部材５０ｂ、５０ｃは２本に限られず、円周上で均等分割位置に複数本設けるならば、導通金具２２に対して圧入されたボビン１８を同軸上に配設し得る。そして、圧入されたボビン１８が導通金具２２の同軸上になくても良ければ、導電部材２０ｂ、２０ｃは１本であっても良い。さらに、２本の導電部材２０ｂ、導電部材２０ｃまたは導電部材５０ｂ、５０ｃを連結するために環状部材２０ａ、５０ａが設けられているが、複数本の導電部材が連結されていなくても良い。また、ボビン１８に配設されるアンテナエレメントは、上記実施例のごとく折り返しアンテナエレメント１０、４０またはヘリカルコイルアンテナエレメント３２に限られず、いかなる形状および構造のものであっても良い。しかも、そのアンテナエレメントをボビン１８に配設する方法は、いかなる方法によりなされたものであっても良い。さらに、導電部材２０ｂ、２０ｃまたは導電部材５０ｂ、５０ｃは、ボビン１８の基端部が導通金具２２に圧入されたときに径方向に弾性変形できれば上記実施例に限られるものでない。そして、少なくともアンテナエレメントの基端部に当接する導通部材が径方向に弾性変形できれば良い。さらに、ボビン１８の基端部に導電部材を組み付けた状態で適宜な外径に設定でき、またボビン１８の基端部自体が弾性変形可能であるならば、導電部材は径方向に弾性変形しないものであっても良い。さらにまた、ボビン１８の基端部が圧入される導通金具２２の孔は、円形の孔２２ａに限られれず、角孔であっても良い。
【００２２】
【発明の効果】
以上説明したように、本発明のアンテナ構造は構成されているので、以下のごとき格別な効果を奏する。
【００２３】
請求項１記載のアンテナ構造にあっては、ボビンの基端部とともに導電部材を導通金具の孔に圧入することで、導電部材がアンテナエレメントの基端部と導通金具の孔の内壁に当接し、この導電部材を介してアンテナエレメントと導通金具が確実に電気的接続がなされる。そして、圧入の際に、アンテナエレメントの基端部が導通金具の孔の内壁に直接摺接されないので、アンテナエレメントの基端部の導電箔が破損されるようなことがない。
【００２４】
請求項２記載のアンテナ構造にあっては、アンテナエレメントの基端部と導電部材が重ねられてともに溝に挿入されて位置決めされるので、圧入の際にずれるようなことがなく、組み立て作業が容易である。
【００２５】
請求項３記載のアンテナ構造にあっては、圧入により導電部材が弾性変形してアンテナエレメントの基端部と導通金具の孔の内壁に弾接し、この導電部材を介してアンテナエレメントと導通金具が確実に電気的接続される。しかも、弾力的に当接しているので、振動などにより電気的接続に不良を生ずる虞がない。
【００２６】
請求項４記載のアンテナ構造にあっては、ボビンの基端部で円周方向で均等分割位置に複数本の導電部材を設けることで、導通金具とこれに圧入されたボビンを同軸上に配設することができ、組み立て姿勢が一定であり、組み付けが容易である。
【００２７】
請求項５記載のアンテナ構造にあっては、複数本の導電部材が一端側で環状部材により連結されているので、組み付けの際に複数本の導電部材の位置決めや取り扱いが容易であるとともに、圧入の際に導電部材が軸方向にずれにくい。
【００２８】
請求項６記載のアンテナ構造にあっては、ボビンはその基端部と先端部がともに固定されるので、振動などによりボビンの姿勢が変動するようなことがない。
【図面の簡単な説明】
【図１】本発明のアンテナ構造の第１実施例でキャップと導通金具とボビンの一部を切り欠いた縦断面図である。
【図２】図１の分解斜視図である。
【図３】ボビンの形状を示し、（ａ）は縦断面図であり、（ｂ）は左側面図であり、（ｃ）は右側面図であり、（ｄ）は底面図である。
【図４】ボビンの外周面に巻回貼着される折り返しアンテナエレメントの展開図であり、（ａ）は正面図であり、（ｂ）は側面図である。
【図５】導電金具の形状を示し、（ａ）は正面図であり、（ｂ）は左側面図であり、（ｃ）は右側面図であり、（ｄ）は底面図であり、（ｅ）は（ｃ）のＡ−Ａ端面矢視拡大図である。
【図６】本発明のアンテナ構造の第２実施例でキャップと導通金具を切り欠いた縦断面図である。
【図７】折り返しアンテナエレメントの他の例を示し、（ａ）は正面図であり、（ｂ）は側面図である。
【図８】導電金具の他の例を示し、（ａ）は正面図であり、（ｂ）は左側面図であり、（ｃ）右側面図であり（ｄ）は底面図である。
【符号の説明】
１０、４０  折り返しアンテナエレメント
１０ａ  引き出し線
１２、４２  可撓性シート
１４、１６、４４  接着剤層
１８、３０  ボビン
１８ａ、３０ａ  外周面
１８ｂ、１８ｃ、１８ｄ  溝
１８ｅ  凹部
２０、５０  導電金具
２０ａ、５０ａ  環状部材
２０ｂ、２０ｃ、５０ｂ、５０ｃ  導電部材
２２  導通金具
２２ａ  孔
２４  キャップ
２４ａ  突部
３２  ヘリカルコイルアンテナエレメント
【図１】
0003923223.tif 000002
【図２】
0003923223.tif 000003
【図３】
0003923223.tif 000004
【図４】
0003923223.tif 000005
【図５】
0003923223.tif 000006
【図６】
0003923223.tif 000007
【図７】
0003923223.tif 000008
【図８】
0003923223.tif 000009